(57)【要約】【課題】  リム切断作業を短時間で終了させると同時に作業者による切削面の仕上りのばらつきをなくし、さらに、作業姿勢を頻繁に変えることなく効率的に切削作業ができる陶器切削工具を提供すること。【解決手段】  陶器を切断する円盤状回転刃と、この円盤状回転刃の回転駆動装置とを備えたカッターと、前記カッターを保持するフレーム部と、前記フレーム部を設置面に対して平行に支持する複数の脚部とを備えた陶器切削工具であって、前記円盤状回転刃は前記フレーム部より下方で前記設置面に対して平行に位置するように取り付けられ、前記カッターは前記円盤状回転刃の一部分を覆う円盤状回転刃保護カバーを備え、この円盤状回転刃保護カバーが前記円盤状回転刃を覆う面積が可変するようになっている。【選択図】  図１
2006123557.tif 000002
【特許請求の範囲】
【請求項１】
陶器を切断する円盤状回転刃と、この円盤状回転刃の回転駆動装置とを備えたカッターと、
前記カッターを保持するフレーム部と、前記フレーム部を設置面に対して平行に支持する複数の脚部とを備えた陶器切削工具であって、前記円盤状回転刃は前記フレーム部より下方で前記設置面に対して平行に位置するように取り付けられ、前記カッターは前記円盤状回転刃の一部分を覆う円盤状回転刃保護カバーを備え、この円盤状回転刃保護カバーが前記円盤状回転刃を覆う面積を可変としたことを特徴とする陶器切削工具。
【請求項２】
前記円盤状回転刃保護カバーは陶器切削時に前記円盤状回転刃保護カバーが前記陶器内壁に接触すると、その反力を利用してカバーの平面視円周角度を小さくして円盤状回転刃の露出部が増やすようにすることを特徴とする請求項１記載の陶器切削工具。
【請求項３】
前記フレーム部と前記円盤状回転刃との間に遮蔽板を設けたことを特徴とする請求項１または請求項２記載の陶器切削工具。  
【請求項４】
前記遮蔽板は透明であることを特徴とする請求項３に記載の陶器切削工具。  
【請求項５】
前記遮蔽板に切削粉塵吸引口を設けたことを特徴とする請求項３または４に記載の陶器切削工具。
【請求項６】
前記切削粉塵吸引口から粉塵を吸引しながら切削を行うことを特徴とする請求項５に記載の陶器切削工具の運転方法。
【請求項７】
前記脚部と接触する設置面に敷板を介設し、前記陶器切削工具を前記敷板上で移動させることを特徴とする請求項１乃至６のいずれか１項に記載の陶器切削工具の運転方法。
【請求項８】
陶器を切断する円盤状回転刃と、この円盤状回転刃の回転駆動装置とを備えたカッターと、
前記カッターを保持するフレーム部と、前記フレーム部を前記設置面に対して平行に支持する複数の脚部と、前記カッターに前記円盤状回転刃を覆う面積を可変とした円盤状回転刃保護カバーとを備えた陶器切削工具を、前記複数の脚部を前記設置面に接触させて前記設置面上に載置し、前記円盤状回転刃を和風便器の内面に切り込ませ、前記陶器切削工具を和風便器の長手方向へ移動させることを特徴とする和風便器切削工法。
【発明の詳細な説明】
【技術分野】
【０００１】
本発明は、トイレブースの既設の和風便器を取外す際に用いる陶器切削工具に関する。  
【背景技術】
【０００２】
本出願人は特願２０００−２３７９６９号において、多層階の建築物に設置されている和風便器を設置階からだけの作業で取り外し、他衛生設備を施工する工法を提案している。本工法においては既設の床下陶器及び配管を再利用するため、和風便器の便鉢部上部およびリム部を除去する必要がある。従来その除去方法として次のような方法が行われていた。まず和風便器にケガキ線記入後、前立てを例えば一般的なディスクグラインダーなどの乾式切削工具で切断する。次に、リムを記入されたケガキ線に沿って縦横方向に細断しながらリム下約７０ｍｍ位置を略水平に全周切断する。  
【発明の開示】
【発明が解決しようとする課題】
【０００３】
しかし、上記の切断作業は切削工具を作業者が手に持って行うため、作業効率が悪く、また作業者によってリム下切削寸法にバラツキが発生する。さらに、切削は乾式のため粉塵を伴うが、切削作業者は両手で切削工具を保持している為、もう一人の作業者がその粉塵を掃除機などの吸引装置を操作して吸引することとなり２人作業となっていた。
また、一般的なカッターのダイヤモンドホイールカバーはカッター本体に固定された状態でダイヤモンドホイールの平面視円周角度の約１８０°をカバーしている。そのため便器のリム全周を切断するには常にダイヤモンドホイールの露出している側を被切削面に向ける必要があり、作業姿勢が一定せず切断面の仕上がりにばらつきが生じ易く時間もかかっていた。
本発明は、上記課題を解決するためになされたもので、本発明の目的は、リム切断作業を短時間で終了させると同時に作業者による切削面の仕上りのばらつきをなくし、粉塵回収まで一人作業が可能とし、さらに、作業姿勢を頻繁に変えることなく効率的に切削作業ができる陶器切削工具を提供することにある。  
【課題を解決するための手段】
【０００４】
上記目的を達成するために本発明の陶器切削工具では、陶器を切断する円盤状回転刃と、この円盤状回転刃の回転駆動装置とを備えたカッターと、前記カッターを保持するフレーム部と、前記フレーム部を支持する複数の脚部とを備えた陶器切削工具であって、前記円盤状回転刃は前記フレーム部より下方に位置するように取り付けられ、前記カッターは前記円盤状回転刃の一部分を覆う円盤状回転刃保護カバーを備え、この円盤状回転刃保護カバーが前記円盤状回転刃を覆う面積を可変としたことを特徴とする。
また、好ましくは前記円盤状回転刃保護カバーは陶器切削時に前記円盤状回転刃保護カバーが前記陶器内壁に接触すると、その反力を利用してカバーの平面視円周角度を小さくして円盤状回転刃の露出部が増やすようにすることを特徴とする。
このことにより、例えば通常は円盤状回転刃保護カバーの平面視円周角度の１８０°をカバーしているが切削時に同カバーが便器内壁に接触するとその反力を利用してカバーの平面視円周角度を小さくして円盤状回転刃の露出部が増やすようにすることにより作業姿勢を頻繁に変えることなく効率的に切削作業ができる。この時露出した円盤状回転刃は便器内部に入り込んでいるので平面視カバーから露出していないため安全性も損なわず作業が可能となる。
さらに、カッターの円盤状回転刃の刃面を設置面と略平行にすることにより、和風便器を設置面に対して平行に連続して切削していくことができ、作業者による切削面の仕上がりばらつきが解消できる。また、和風便器の切削部のＲ（アール）が小さい部分においても円盤状回転刃をスムースに移動させて切削していくことができ作業効率が向上する。  
【０００５】
また、本発明の好ましい態様においては、前記フレーム部と前記円盤状回転刃との間に遮蔽板を設けるようにする。遮蔽板を設けることにより、被切断物の破片の飛散を抑えることができ、同時に発生する粉塵の拡散抑制効果もあるため、作業者の安全性や衛生性を確保することができ、また切断後の清掃作業も効率的になる。  
【０００６】
また、本発明の好ましい態様においては、前記遮蔽板は透明であるようにする。遮蔽板を透明とすることで、作業者が切削状況を常時確認することが可能となり、切削速度などの調節が容易となり安全に作業を行うことができる。  
【０００７】
さらに、本発明の好ましい態様においては、前記遮蔽板に切削粉塵吸引口を設けるようにする。そうすることにより、切断時の粉塵排出作業が容易に行えるようになる。  
【０００８】
また、別の本発明として、請求項６に記載の陶器切削工具の運転方法であって、前記切削粉塵吸引口から粉塵を吸引しながら切削を行うことを特徴とする陶器切削工具の運転方法を提供する。遮蔽板に設けた切削粉塵吸引口に、例えば市販の掃除機などの吸引装置を接続し、吸引しながら切断作業を行うことにより、粉塵拡散を防止することができ、切断作業時において作業者の吸塵装置着用が不要になる。
【０００９】
本発明の好ましい態様においては、前記陶器切削工具の脚部と接触する設置面に敷板を介設するようにする。陶器切削工具の脚部が移動する設置面上に設置面の凹凸を吸収する敷板を使用すれば、例えば床タイル目地などの凹凸を平滑にすることができ、脚部がスムーズに移動できるようになる。  
【００１０】
また本発明においては、陶器を切断する円盤状回転刃と、この円盤状回転刃の回転駆動装置とを備えたカッターと、前記カッターを保持するフレーム部と、前記フレーム部を前記設置面に対して略平行に支持する複数の脚部と、前記カッターに前記円盤状回転刃を覆う面積を可変とした円盤状回転刃保護カバーとを備えた陶器切削工具を、前記複数の脚部を前記設置面に接触させて前記設置面上に載置し、前記円盤状回転刃を和風便器の内面に切り込ませ、前記陶器切削工具を和風便器の長手方向へ移動させることを特徴とする和風便器切削工法を提供する。
本発明に係る和風便器切削工法によれば、設置階からだけで和風便器から他の衛生設備への施工を短期間で行うことができ、リム下面切断作業を短時間で終了させると同時に作業者による切削面の仕上がりのばらつきをなくすことができる。さらに、作業姿勢を頻繁に変えることなく効率的に切削作業ができる
【発明の効果】
【００１１】
本発明の陶器切削工具によれば、設置階からだけで和風便器から他の衛生設備への施工を短期間で行うができ、リム下面切断作業を短時事間で終了させると同時に作業者による切削面の仕上りのばらつきをなくし、切削時の発塵飛散抑制と粉塵回収まで一人作業が可能となる。さらに、円盤状回転刃の露出部が増やすようにすることにより作業姿勢を頻繁に変えることなく効率的に切削作業ができる。  
【発明を実施するための最良の形態】
【００１２】
以下図面を参照して本発明の一実施態様を説明する。図１は本発明に係る陶器切削工具及び和風便器との取り合いを示す正面図であり、図２は同平面図、図３はダイヤモンドホイール保護カバーを説明する図である。まず図１において、フレーム１は床面ＦＬに対して略平行に位置しその両端に脚部２がフレーム１に対して垂直に固定されている。脚部２はＰ視で示すように、脚部２に長穴３を形成し、ボルト・ナットにより上下方向に調節可能にフレーム１に固定している。脚部２の床面ＦＬとの接触面の端部２ａは上方に５°程度の角度を設けた傾斜面２ｂとし床面ＦＬと引っ掛かりを防止するようにしている。カッターは円盤状回転刃のダイヤモンドホイール７とこのダイヤモンドホイール７を回転駆動する電動機４とで構成し、電動機４はフレーム１の下面に取り付けられた電動機４の固定プレート５に垂直に固定され、ダイヤモンドホイール７は電動機４の先端軸に取り付けられている。  
【００１３】
ダイヤモンドホイール保護カバー６は電動機４の先端にフレーム１に平行に電動機４の先端軸カバー８に固定されている。電動機４の先端軸カバー８は直径５０ｍｍと細く、直径６インチのダイヤモンドホイール７でも和風便器１２の外周に貼り付けているアスファルト９まで切り込むことができる。  
【００１４】
固定プレート５の下方には透明の遮蔽板１０が取り付けられており、その平面積は平面視におけるフレーム１の平面積と略同程度としている。  
【００１５】
図２に示す平面図において、陶器切削工具Ａは和風便器１２の長手方向に対して直角に配置し、フレーム１上に固定された取っ手１３を掴んでまずダイヤモンドホイール７を和風便器１２の内側面に切り込ませ、次ぎに図の矢印に示す切削方向に動作させる。上記の動作により和風便器１２の片面切削後１８０°平面回転させ、もう一方の片面を切削することで全周カットが可能となる。遮蔽板１０には切削粉塵吸引口１４が穿設されており、この切削粉塵吸引口１４に掃除機等の吸引装置を接続して切削粉塵を吸引している。この切削粉塵吸引口１４の形状は正面視テーパー状の円筒形状にすれば、市販の掃除機等の集塵機との接続の汎用性が増す。  
【００１６】
図３において、ダイヤモンドホイール保護カバー６は４分円形状の第１保護カバー６ａと第２保護カバー６ｂから構成し、電動機４の先端軸芯１５を同芯として先端軸カバー８の外周に配置する。可動範囲は第１保護カバー６ａは可動範囲Ａ、第２保護カバー６ｂは可動範囲Ｂであり、電動機４の先端軸芯１５を同芯に配置されたバネ１６の力で図３のように広げられダイヤモンドホイール７の１／２面積を被覆する。切削時、第１保護カバー６ａ、第２保護カバー６ｂのいずれかが和風便器１２内壁に接触するとその反力で順次接触していない側の保護カバー側へ可動範囲の中で先端軸芯１５を中心に回転する。よって、固定式のカバーの場合はダイヤモンドホイールの露出範囲が１８０°程度で固定されているため和風便器１２の内壁全周を切削するには切削工具自体を切削したい方向へその都度移動させる必要がある。第１保護カバー６ａ、第２保護カバー６ｂの場合は通常カバーに隠された部分が露出するのでダイヤモンドホイール７の露出範囲が最大で２７０°となるため切削工具自体の方向転換の回数が少なくなり切削時間が短縮される。また露出したダイヤモンドホイール７は和風便器１２の内部に位置するため平面視露出しているダイヤモンドホイール７の面積は１８０°固定カバーと同等であり安全性も損なわない。  
【００１７】
本発明において、透明の遮蔽板１０は内部状況が確認できるとともに電動機４の排風による和風便器１２のボール鉢内の粉塵巻き上げを抑制する作用も有る。掃除機などの吸引装置を切削粉塵接続口１４に取付けることで透明の遮蔽板１０下面と和風便器１２のリム上面との隙間から和風便器１２のボール鉢内に空気が流入し、粉塵の飛散抑制もできる。  
【００１８】
和風便器１２の外周に接着されたアスファルト９まで完全に切断されていない場合は、カッターナイフ等で切断しリム下７０ｍｍまで完全に除去する必要があるが、上記構成において、ダイヤモンドホイール７の直径を１５０ｍｍ以上にすれば和風便器１２の外周のアスファルト９まで一度に切断することが可能になる。  
【００１９】
さらに上記構成において、敷板１１は機能上滑りがよくて床面にキズを付けにくい材質のものが好適に用いられ、例えば樹脂板などが良い。  
【００２０】
さらに上記構成において、脚部２の固定にワンタッチ締め付けボルト、たとえばクランプノブ等を使用すると高さ調節が容易にできる。  
【図面の簡単な説明】
【００２１】
【図１】本発明に係る陶器切削工具及び和風便器との取り合いを示す正面図である。
【図２】図１の平面図である。
【図３】ダイヤモンドホイール保護カバーを説明する平面図と正面図である。
【符号の説明】
【００２２】
Ａ…陶器切削工具  
１…フレーム  
２…脚部  
３…長穴  
４…電動機  
５…固定プレート  
６…ダイヤモンドホイール保護カバー  
６ａ…第１保護カバー  
６ｂ…第２保護カバー  
７…ダイヤモンドホイール  
８…電動機の先端軸カバー  
９…アスファルト  
１０…遮蔽板  
１１…敷板  
１２…和風便器  
１３…取っ手  
１４…切削粉塵吸引口  
１５…電動機の先端軸芯  
１６…バネ  
【図１】
2006123557.tif 000003
【図２】
2006123557.tif 000004
【図３】
2006123557.tif 000005